(57)【要約】【課題】静止画像データを、その内容に応じて変化のある静止画動画ファイルとして作成する。【解決手段】静止画ファイルフォーマットで記録媒体に記録されている静止画像データを動画ファイルフォーマットに変換し、静止画動画ファイルとする静止画動画ファイル作成手段を有する画像記録装置。静止画動画ファイル作成手段は、静止画動画ファイルとして記録された静止画像データのそれぞれの表示継続時間が設定できる静止画表示時間設定手段を有する。そして、静止画記録手段の設定の内容または静止画像データを作成する際の時間的な条件に応じて、設定される表示継続時間を変更可能とする。【選択図】図４
2008118481.tif 000002
【特許請求の範囲】
【請求項１】
動画像データを動画ファイルとして記録媒体に記録する動画ファイル記録手段と、
静止画像データを静止画ファイルとして前記記録媒体に記録する静止画ファイル記録手段と、
前記静止画ファイルとして前記記録媒体に記録されている前記静止画像データを、前記動画ファイルに変換し、静止画動画ファイルとする静止画動画ファイル作成手段と、を有する画像記録装置において、
前記静止画動画ファイル作成手段は、作成する前記静止画動画ファイルに含まれる前記静止画像データの表示継続時間を設定可能な静止画表示時間設定手段を備え、
前記静止画表示時間設定手段は、前記静止画ファイル記録手段の設定の内容または前記静止画像データを作成する際の時間的な条件に応じて、設定される前記表示継続時間を変更する
ことを特徴とする画像記録装置。
【請求項２】
前記静止画ファイル記録手段は、連写モードで得られる連続した複数枚の前記静止画像データを前記記録媒体に記録可能であり、
前記静止画動画ファイル作成手段が、前記連写モードで得られて前記記録媒体に記録された前記連続した複数枚の前記静止画像データを前記静止画動画ファイルとし作成するにあたり、
前記静止画表示時間設定手段は、前記表示継続時間を、通常モードで作成された１枚の前記静止画像データを前記静止画動画ファイルとして作成する際の前記表示継続時間より小さくする
ことを特徴とする請求項１に記載の画像記録装置。
【請求項３】
前記静止画ファイル記録手段は、スティッチアシストモードで得られた関連する複数枚の前記静止画像データを前記記録媒体に記録可能であり、
前記静止画動画ファイル作成手段が、前記スティッチアシストモードで得られて前記記録媒体に記録された前記関連する複数枚の前記静止画像データを前記静止画動画ファイルとし作成するにあたり、
前記静止画表示時間設定手段は、前記表示継続時間を、前記通常モードで作成された１枚の前記静止画像データを前記静止画動画ファイルとして作成する際の前記表示継続時間より小さくする
ことを特徴とする請求項２に記載の画像記録装置。
【請求項４】
前記静止画動画ファイル作成手段により前記静止画動画ファイルを作成するにあたり、前記静止画表示時間設定手段は、前記複数枚の前記静止画像データの撮影日時を参照し、前記撮影日時の間隔が予め定められた時間より短い場合は、前記表示継続時間を、前記通常モードで設定される前記表示継続時間より小さくする
ことを特徴とする請求項２または３に記載の画像記録装置。
【請求項５】
前記静止画動画ファイル作成手段により前記静止画動画ファイルを作成するにあたり、前記静止画表示時間設定手段は、前記静止画像データの撮影日時を参照し、同じ日付で作成された前記静止画像データのうち、最初の静止画像データに対しては、前記表示継続時間を他の前記静止画像データより大きくする
ことを特徴とする請求項１乃至４記載のいずれか１項に記載の画像記録装置。
【請求項６】
前記スティッチアシストモードにて作成した前記関連する複数枚の前記静止画像データを横方向または縦方向に合成して横長または縦長のパノラマ静止画像データを合成するパノラマ合成手段を、更に備え、
前記静止画動画ファイル作成手段は、前記パノラマ静止画像データに対し、横長の前記パノラマ静止画像データは横方向、縦長の前記パノラマ静止画像データは上下方向にスクロール表示される前記静止画動画ファイルを作成する
ことを特徴とする請求項３に記載の画像記録装置。
【請求項７】
前記静止画表示時間設定手段は、前記スクロール表示の移動速度を、前記通常モードにて作成された前記静止画像データを前記静止画動画ファイルを作成する際の、前記静止画表示時間設定手段で設定される前記表示継続時間に、前記パノラマ静止画像データを作成する前記静止画像データの構成枚数を乗じた値による時間内に前記スクロール表示が完了するように設定する
ことを特徴とする請求項６に記載の画像記録装置。
【請求項８】
前記静止画動画ファイル作成手段は、前記静止画像データの撮影日時または前記静止画像データのファイル番号を文字情報として作成し、作成される前記静止画動画ファイルに、前記文字情報を合成する
ことを特徴とする請求項１乃至７のいずれか１項に記載の画像記録装置。
【請求項９】
前記静止画動画ファイル作成手段は、前記静止画像データの撮影日時または前記静止画像データのファイル番号を文字情報として作成し、作成される前記静止画動画ファイルに、前記文字情報をＤＶＤ規格上の字幕情報として合成する
ことを特徴とする請求項１乃至７のいずれか１項に記載の画像記録装置。
【請求項１０】
前記動画ファイル記録手段は、作成された前記静止画動画ファイルを、着脱可能な記録媒体に記録することを特徴とする請求項１乃至９のいずれか１項に記載の画像記録装置。
【請求項１１】
動画ファイル記録手段により、動画像データを動画ファイルとして記録媒体に記録する動画ファイル記録工程と、
静止画ファイル記録手段により、静止画像データを静止画ファイルとして前記記録媒体に記録する静止画ファイル記録工程と、
静止画動画ファイル作成手段により、前記静止画ファイルとして前記記録媒体に記録されている前記静止画像データを、前記動画ファイルに変換し、静止画動画ファイルとする静止画動画ファイル作成工程と、を有する画像記録方法において、
前記静止画動画ファイル作成工程は、作成する前記静止画動画ファイルに含まれる前記静止画像データの表示継続時間を設定可能な静止画表示時間設定手段による静止画表示時間設定工程を備え、
前記静止画表示時間設定手段による前記静止画表示時間設定工程は、前記静止画ファイル記録工程での設定の内容または前記静止画像データを作成する際の時間的な条件に応じて、設定される前記表示継続時間を変更する
ことを特徴とする画像記録方法。
【請求項１２】
前記静止画ファイル記録工程は、連写モードで得られる連続した複数枚の前記静止画像データを前記記録媒体に記録可能であり、
前記静止画動画ファイル作成工程が、前記連写モードで得られて前記記録媒体に記録された前記連続した複数枚の前記静止画像データを前記静止画動画ファイルとし作成するにあたり、
前記静止画表示時間設定工程は、前記表示継続時間を、通常モードで作成された１枚の前記静止画像データを前記静止画動画ファイルとして作成する際の前記表示継続時間より小さくする
ことを特徴とする請求項１１に記載の画像記録方法。
【請求項１３】
前記静止画ファイル記録工程は、スティッチアシストモードで得られた関連する複数枚の前記静止画像データを前記記録媒体に記録可能であり、
前記静止画動画ファイル作成工程が、前記スティッチアシストモードで得られて前記記録媒体に記録された前記関連する複数枚の前記静止画像データを前記静止画動画ファイルとし作成するにあたり、
前記静止画表示時間設定工程は、前記表示継続時間を、前記通常モードで作成された１枚の前記静止画像データを前記静止画動画ファイルとして作成する際の前記表示継続時間より小さくする
ことを特徴とする請求項１２に記載の画像記録方法。
【請求項１４】
前記静止画動画ファイル作成工程で前記静止画動画ファイルを作成するにあたり、前記静止画表示時間設定工程は、前記複数枚の前記静止画像データの撮影日時を参照し、前記撮影日時の間隔が予め定められた時間より短い場合は、前記表示継続時間を、前記通常モードで設定される前記表示継続時間より小さくする
ことを特徴とする請求項１２または１３に記載の画像記録方法。
【請求項１５】
前記静止画動画ファイル作成工程で前記静止画動画ファイルを作成するにあたり、前記静止画表示時間設定工程は、前記静止画像データの撮影日時を参照し、同じ日付で作成された前記静止画像データのうち、最初の静止画像データに対しては、前記表示継続時間を他の前記静止画像データより大きくする
ことを特徴とする請求項１１乃至１４記載のいずれか１項に記載の画像記録方法。
【請求項１６】
パノラマ合成手段により、前記スティッチアシストモードにて作成した前記関連する複数枚の前記静止画像データを横方向または縦方向に合成して横長または縦長のパノラマ静止画像データを合成するパノラマ合成工程を、さらに備え、
前記静止画動画ファイル作成工程は、前記パノラマ静止画像データに対し、横長の前記パノラマ静止画像データは横方向、縦長の前記パノラマ静止画像データは上下方向にスクロール表示される前記静止画動画ファイルを作成する
ことを特徴とする請求項１３に記載の画像記録方法。
【請求項１７】
請求項１１乃至１６のいずれか１項に記載の画像記録方法の手順をコンピュータに機能させるための、コンピュータで実行可能なプログラム。
【請求項１８】
請求項１１乃至１６のいずれか１項に記載の画像記録方法の手順をコンピュータに機能させるためのプログラムを記憶したコンピュータで読み取り可能な記憶媒体。
【発明の詳細な説明】
【技術分野】
【０００１】
本発明は、ランダムアクセス可能なメディアを記録媒体に画像データを記録可能な画像記録装置、画像記録方法、プログラム及び記憶媒体に関する。
【背景技術】
【０００２】
近年、画像データを記録する記録媒体として、大容量の光ディスクやフラッシュメモリカードを用いる撮像記録装置が各種発売されてきている。これらの記録媒体のなかで、例えばＤＶＤ（Digital Versatile Disc）は、１２ｃｍの直径のディスクで、４．７ギガバイトの記録可能容量を持つ。したがって、ＭＰＥＧ２フォーマットによる動画像圧縮符号化処理技術を用いて、従来のＳ−ＶＨＳ程度の画質を有する動画像データを約２時間記録する事が可能であり、その記録再生を行う据え置き型のＤＶＤレコーダ／プレーヤがここ数年急速に普及している。
【０００３】
一方、このＤＶＤ規格の光ディスク媒体を用いた携帯型のビデオカメラも登場している。この種のビデオカメラは、直径１２ｃｍにて４．７ギガバイトの記録可能容量を実現していたＤＶＤメディアではないが、それと互換を保ちつつ、直径８ｃｍにて１．４ギガバイトの記録可能容量を持つ光ディスク媒体を採用する。これにより、従来の磁気テープを用いるＤＶカセットを使用したビデオカメラの大きさと変わらない大きさで、携帯性のよいビデオカメラを実現している。
【０００４】
なお、上記の８ｃｍＤＶＤはファイルシステムがＰＣと共通のＵＤＦフォーマットで記録されているため、ＤＶＤ−ＶｉｄｅｏやＤＶＤ−ＶＲに準拠した動画ファイルの他に、任意のファイルを書き込むことが可能である。このことを利用し、静止画ファイル撮影機能を有し、作成されたＤＣＦ（Design rule for Camera File System）準拠の静止画ファイル（ＪＰＥＧファイル等）を記録するＤＶＤビデオカメラも存在する。
【０００５】
しかしながら、この種のＤＶＤビデオカメラにおいては、前記の如く記録された静止画ファイルは、ＤＶＤ−ＶｉｄｅｏやＤＶＤ−ＶＲの規格外のファイルとなるため、ほとんどの場合、据え置き型のＤＶＤプレーヤ等で再生する事ができない。
【０００６】
これを解決するため、ＤＶＤビデオカメラに記録された静止画ファイルを所定の表示時間間隔で順次再生される動画ファイル（以下、静止画動画ファイルと称す）形式に変換して、８ｃｍＤＶＤに記録を行うことが提案されている。据え置き型のＤＶＤプレーヤ側では、再生可能となった静止画動画ファイルを再生することにより、ユーザは静止画ファイルをスライドショーとして鑑賞することが可能となる。このようなＤＶＤへ記録する静止画動画ファイルの作成については、例えば特許文献１に開示されている。
【０００７】
また、静止画動画ファイルの作成は、光ディスク媒体内に記録されているすべての静止画ファイルに対して一括で行われ、簡単な操作で据え置き型のＤＶＤプレーヤですべての静止画ファイルが再生可能な光ディスク媒体を作成することが可能となる。
【特許文献１】特開２００４−２０１１７０号公報
【発明の開示】
【発明が解決しようとする課題】
【０００８】
上述するように、静止画動画ファイルの作成は、光ディスク媒体に記録されているすべての静止画ファイルに対して一括で行われる。この場合、すべての静止画ファイルに対して同じパラメータが適用されて作成が行われ、例えば、各静止画ファイルの再生表示継続時間が一律３秒とされた静止画動画ファイルの作成が行われる。
【０００９】
図２は静止画動画ファイルの例である。図２において、左側の（ａ）は光ディスク媒体に記録されているＪＰＥＧ静止画ファイルの例である。ここでは、ＩＭＧ＿０００１．ＪＰＧ乃至ＩＭＧ＿０００５．ＪＰＧ、ＳＴＡ＿０００６．ＪＰＧ乃至ＳＴＣ＿０００８．ＪＰＧの計８枚のＪＰＥＧ静止画ファイルが記録されている場合を示している。
【００１０】
なお、これらのＪＰＥＧ静止画ファイルのうち、ＩＭＧ＿０００２．ＪＰＧ乃至ＩＭＧ＿０００４．ＪＰＧは、シャッタボタンを押し続ける間、１秒間に２〜３枚間隔で連続撮影が行える連写モードにて撮影された静止画ファイルである。またＳＴＡ＿０００６．ＪＰＧ乃至ＳＴＣ＿０００８．ＪＰＧは、複数の静止画ファイルを横方向または縦方向に並べてつなぎ目を画像処理にて合成するためのものである。すなわち、パノラマ写真を得るパノラマスティッチ処理を行うための静止画ファイルを得るため、ファインダーパネル上に合成用の指標を表示してその撮影をサポートする、スティッチアシストモードにて撮影された静止画ファイルである。
【００１１】
以上のようにディスクに、従来の方法で一括静止画動画ファイル作成処理を行うと、図２の右側の（ｂ）に示す静止画動画ファイルが作成される。かくして作成された静止画動画ファイルは、同図の（ｂ）に示すように、一つの静止画ファイルを３秒間の再生表示を行い、スライドショーのように順次再生表示する静止画動画ファイルとして作成されるものである。
【００１２】
しかしながら、この構成では、元のＪＰＥＧ静止画ファイルが例えばユーザからみてそれほど重要でない静止画ファイル、もしくは撮影に失敗した静止画ファイルであったりする場合がある。さらに、連写モードやスティッチアシストモード等で撮影された類似の内容の静止画ファイルが続いたりする場合もあり、その部分は静止画動画ファイルの再生時に、ユーザに退屈な印象を与えてしまう事があった。
【００１３】
また、ＤＶＤフォーマットには記録可能なタイトル数またはチャプタ数に制限が設けられている。したがって、静止画動画ファイルにおける各静止画ファイルのサーチを行えるように静止画ファイル１枚ごとにチャプタを分ける構成にすると、ＤＶＤフォーマットの上述する制限を越えてしまう恐れがあった。
【００１４】
そこで、図２の（ｂ）に示すように、一般的にすべての静止画ファイルのスライドショーを１つのチャプタもしくはタイトルに纏めてしまう構成となっていた。このため、スライドショーの静止画ファイルの中から所望の静止画ファイルを探すには、動画ファイルと同じく早送りまたは早戻しを行って探す必要があった。このため、スライドショーでの静止画ファイルの再生中に、上述するような退屈な部分が再生表示し始めたとしても、その部分を簡単にスキップできる手段がなく、ユーザにとって必ずしも使い勝手のいいものではなかった。
【００１５】
本発明は、上記の点に鑑み、静止画像データを、その内容に応じて変化のある静止画動画ファイルとして作成可能な画像記録装置を提供することを目的とする。
【課題を解決するための手段】
【００１６】
上記の目的を達成するため、本発明の実施形態に係る画像記録装置は、
動画像データを動画ファイルとして記録媒体に記録する動画ファイル記録手段と、
静止画像データを静止画ファイルとして前記記録媒体に記録する静止画ファイル記録手段と、
前記静止画ファイルとして前記記録媒体に記録されている前記静止画像データを、前記動画ファイルに変換し、静止画動画ファイルとする静止画動画ファイル作成手段と、を有する画像記録装置において、
前記静止画動画ファイル作成手段は、作成する前記静止画動画ファイルに含まれる前記静止画像データの表示継続時間を設定可能な静止画表示時間設定手段を備え、
前記静止画表示時間設定手段は、前記静止画ファイル記録手段の設定の内容または前記静止画像データを作成する際の時間的な条件に応じて、設定される前記表示継続時間を変更することを特徴とする。
【００１７】
上記の目的を達成するため、本発明の他の実施形態に係る画像記録方法は、
動画像データを動画ファイルとして記録媒体に記録する動画ファイル記録工程と、
静止画像データを静止画ファイルとして前記記録媒体に記録する静止画ファイル記録工程と、
前記静止画ファイルとして前記記録媒体に記録されている前記静止画像データを、前記動画ファイルに変換し、静止画動画ファイルとする静止画動画ファイル作成工程と、を有する画像記録方法において、
前記静止画動画ファイル作成工程は、作成する前記静止画動画ファイルに含まれる前記静止画像データの表示継続時間を設定可能な静止画表示時間設定工程を備え、
前記静止画表示時間設定工程は、前記静止画ファイル記録工程での設定の内容または前記静止画像データを作成する際の時間的な条件に応じて、設定される前記表示継続時間を変更することを特徴とする。
【発明の効果】
【００１８】
本発明によれば、静止画像データを、その内容に応じて変化のある静止画動画ファイルとして作成することが可能となる。
【発明を実施するための最良の形態】
【００１９】
＜実施形態１＞
本発明の実施形態１に係る画像記録装置であるビデオカメラの構成について、以下図面を用いて説明する。図１は、本発明の実施形態のビデオカメラのブロック図である。同図において、１０１は被写体像を取り込む撮影レンズ、１０２は後述の撮像素子への被写体像の光量を制御する絞り、１０３は、取り込んだ被写体像を画像信号に変換する撮像素子である。また１０４は、撮像素子１０３からの画像信号をサンプルホールドし、適正な信号レベルにするＣＤＳ／ＡＧＣ回路、１０５はＣＤＳ／ＡＧＣ回路からの画像信号を画像データにＡ／Ｄ変換し、デジタル信号処理を行うデジタル信号処理回路である。
【００２０】
さらに１０６は、デジタル信号処理回路１０５からの生の画像データを１フレーム分ずつ蓄積するフレームメモリである。また１０７は、フレームメモリ１０６に蓄積された画像データの画素をＭＰＥＧ２方式またはＭＰＥＧ４方式での記録が出来るように、適切な画素数に調整する画素数調整回路である。さらに１０８は、各回路ブロック間の画像データおよび後述の音声データが伝送される画像／音声データバスである。
【００２１】
さらに１０９は、画像データと共に光ディスク媒体に記録される音声を集音するマイクロフォン、１１０はマイクロフォン１０９からの音声信号を適当なレベルまで増幅する増幅回路、１１１は増幅された音声信号をＡ／Ｄ変換するＡ／Ｄコンバータである。
【００２２】
また、１１２は再生モード時には後述のＭＰＥＧ２コーデック１１４からの再生画像データ、撮影時には撮像素子１０３で撮像されて得られた画像データを表示する液晶ディスプレイ、１１３は液晶ディスプレイ１１２を駆動する液晶ドライバである。さらに、１１４は画像／音声データバス１０８からのデジタル画像データを動画としてＭＰＥＧ２方式による圧縮すると共に、フラッシュメモリに記録されたＭＰＥＧ２圧縮データを伸長するＭＰＥＧ２コーデックである。１１５は、後述するＮＴＳＣエンコーダからのアナログ映像信号を出力するビデオ出力端子、１１６は液晶ディスプレイ１１２で表示される画像データと同一の画像データをアナログ化し、ビデオ出力端子１１５に出力するＮＴＳＣエンコーダである。
【００２３】
さらに１１７は、後述の光ディスク媒体１３０に対してデータの読み書きを行うディスクドライバ、１１８は画像／音声データバス１０８からのＭＰＥＧ２画像データを記録する光ディスク媒体１３０が装着されるリムーバブルディスクドライブである。このような着脱可能な記録媒体として、ここでは光ディスク媒体１３０を使用して説明するが、他の記録媒体、しなわち、半導体の記録媒体や、ＨＤＤ等の磁気記録による記録媒体も使用可能である。さらに、１１９は後述のＵＳＢインターフェース１２０からのデータを出力するＵＳＢ端子、１２０は光ディスク媒体１３０に記録されたＭＰＥＧ２方式の画像データをそのまま外部に出力するＵＳＢコントローラである。
【００２４】
また１２１は、ユーザがビデオカメラ本体に対する操作を行うための操作キー、１２２はビデオカメラ全体のモードを制御したり、操作キー１２１を検出して各種機能の実行を制御するメインマイコンである。さらに、１２３はメインマイコン１２２が一時的なデータを保管するＲＡＭ、１２４はメインマイコン１２２の所定の状態を記憶する不揮発性メモリであるＥＥＰＲＯＭである。また、１２５はメインマイコン１２２からの制御信号や、操作キー１２１からの制御信号が伝送される制御信号バスである。
【００２５】
上記のように構成された、本発明の実施形態に係る画像記録装置のビデオカメラの動作について、図１および図３のフローチャートを用いて説明する。尚、ディスクドライバ１１７及び記録媒体である光ディスク媒体１３０が装着されるリムーバブルディスクドライブ１１８は、動画ファイル、静止画ファイルおよび静止画動画ファイルを記録する記録手段として動作する。
【００２６】
図４の（ａ）は、記録媒体である光ディスク媒体１３０にＤＣＦ形式にて記録されているＪＰＥＧ静止画ファイルの例である。ここでは、４０１乃至４０８に示すように、ＩＭＧ＿０００１．ＪＰＧ乃至ＩＭＧ＿０００５．ＪＰＧ、ＳＴＡ＿０００６．ＪＰＧ乃至ＳＴＣ＿０００８．ＪＰＧの計８枚のＪＰＥＧ静止画ファイルが記録されている。
【００２７】
なお、これらＪＰＥＧ静止画ファイルのうち、４０２乃至４０４に示すＩＭＧ＿０００２．ＪＰＧ乃至ＩＭＧ＿０００４．ＪＰＧは、シャッタボタンを押し続ける間、１秒間に２〜３枚間隔で連続撮影が行える連写モードにて撮影された静止画ファイルである。また４０６乃至４０８に示すＳＴＡ＿０００６．ＪＰＧ乃至ＳＴＣ＿０００８．ＪＰＧは、複数の静止画ファイルを横方向または縦方向に並べ、つなぎ目を画像処理にて合成するファイルである。すなわち、パノラマ写真を得るパノラマスティッチモードで得られる画像ファイルを合成する合成処理を行うための静止画ファイルを得るためのものである。すなわち、ファインダーパネル上に合成用の指標を表示してその撮影をサポートする、スティッチアシストモードにて撮影された静止画ファイルである。その他は、通常モードで記録されたファイルである。なお、メインマイコン１２２は、ここでの合成処理を行うパノラマ合成手段として画像の合成を制御する。
【００２８】
図３に示すフローチャートに従って、本発明の実施形態に係る画像記録装置であるビデオカメラの動作を説明する。上記のように記録された光ディスク媒体１３０がビデオカメラのリムーバブルディスクドライブ１１８に装着されたとして、ステップＳ３０１から一括静止画動画ファイル作成の動作が開始される。以下に説明する一連の動作は、ＥＥＰＲＯＭ１２４に記憶されたプログラムに従い、メインマイコン１２２が、静止画動画ファイル作成手段、さらに静止画像データの表示継続時間を設定可能な静止画表示時間設定手段として動作するものである。
【００２９】
まず、ステップＳ３０２にて光ディスク媒体１３０に記録されているＤＣＦ形式のＪＰＥＧファイルが検出され、ステップＳ３０３にてＤＣＦ番号順にソートされる。次にステップＳ３０４にてＪＰＥＧファイルの総数８がセットされ、ステップＳ３０５にて現在の静止画番号の初期値１がセットされ、さらにステップＳ３０６にてファイルがオープンされる。ステップＳ３０７にてオープンしたファイルの先頭に記録されているＥｘｉｆ（Exchangeable Image File Format）情報を読み取る。そして、ステップＳ３０８にてＥｘｉｆ情報としてメーカノートに「連写モード＝ＯＮ」が記録されているか、もしくはタイトルとして「スティッチアシストモード」が記録されているかが検出される。これらが検出された場合は、静止画動画ファイルでの静止画表示継続時間（ｔ）の１秒がセットされ、検出されない場合は３秒がセットされる。
【００３０】
次にステップＳ３１１にてオープンされたＪＰＥＧファイルのデコードが行われ、横７２０×縦４８０ピクセルにリサイズされ、ステップＳ３１２にてファイルがクローズされる。ステップＳ３１３にてＭＰＥＧ２コーデック１１４によってデコードされたＪＰＥＧファイルの静止画ファイルがキャプチャされる。そしてステップＳ３１４にて、ｔ＝３の場合３秒間同一の映像、ｔ＝１の場合１秒間同一の映像が続く動画としてＭＰＥＧ２エンコードされ、１枚目のＪＰＥＧファイルのＭＰＥＧ２化が終了する。
【００３１】
ステップＳ３１５にて最終のＪＰＥＧファイルであるかが検出され、ここではまだ１枚目のＪＰＥＧファイルの作業が終わったところなのでステップＳ３１６に移行し、現在ファイルの番号が＋１されて２になる。その後ステップＳ３０６以降で同様の動作が行われ、最終画像ファイルである８番目のＪＰＥＧファイルまでのＭＰＥＧ２化が行われる。ステップＳ３１５にて現在ファイルの番号が最終である事が検出されるとステップＳ３１７にて光ディスク媒体１３０の管理領域にファイルシステム書き込みが行われ、ステップＳ３１８にて一連の静止画動画ファイル作成動作が終了する。これらの処理は、メインマイコン１２２により、実行される。
【００３２】
図４の（ｂ）は、以上の一連の動作によって作成された静止画動画ファイルである。ここでは、同様な内容のＪＰＥＧファイルが並ぶ連写モードやスティッチアシストモードで撮影されたＪＰＥＧファイルは４１０乃至４１２となる。また、４１４乃至４１６に示すように１秒の静止画動画ファイル、それ以外の静止画ファイルは３秒の静止画動画ファイルとして作成されている。この静止画動画ファイルのデータ形式は、ＤＶＤ−ＶｉｄｅｏまたはＤＶＤ−ＶＲに準拠した動画像であるため、ＪＰＥＧ静止画ファイルが再生できないＤＶＤプレーヤやＤＶＤレコーダでも再生可能である。
【００３３】
なお本実施形態１においては、連写モードまたはスティッチアシストモードにて撮影された静止画ファイルを静止画動画ファイルでの表示継続時間を短く設定していた。しかし、ステップＳ３０８での判定条件を変更することが可能である。たとえば、複数の静止画ファイルの撮影時刻の間隔が、例えば１０分以内と短い場合に該静止画ファイルの静止画動画ファイルでの表示継続時間をｔ＝１と短く設定することができる。一方、また逆に、撮影日付のうち同一の日付で最初に撮影された静止画ファイルのみ静止画動画ファイルでの表示継続時間をｔ＝５と長く設定する構成としてもよい。
【００３４】
また、静止画動画ファイル作成時に、元のＪＰＥＧファイルの撮影日時、ファイル名などの文字情報を文字画像として画像合成するか、またはＤＶＤ規格のサブピクチャによる字幕情報として記録し、再生時に重畳表示する事が可能な構成としてもよい。
【００３５】
＜実施形態２＞
本発明の実施形態に係るビデオカメラの第２の実施形態について図面を用いて説明する。本実施形態２のビデオカメラのブロック図は、図１に示す実施形態１のビデオカメラのブロック図と同様である。この構成において、本発明の実施形態２について、ビデオカメラの動作を、図５のフローチャートを用いて説明する。
【００３６】
図６の（ａ）は、光ディスク媒体１３０にＤＣＦ形式にて記録されているＪＰＥＧ静止画ファイルの例である。６０１乃至６０８に示すように、ＩＭＧ＿０００１．ＪＰＧ乃至ＩＭＧ＿０００５．ＪＰＧ、ＳＴＡ＿０００６．ＪＰＧ乃至ＳＴＣ＿０００８．ＪＰＧの計８枚のＪＰＥＧ静止画ファイルが記録されている事を示している。なお、これらのＪＰＥＧ静止画ファイルのうち、６０２乃至６０４に示すＩＭＧ＿０００２．ＪＰＧ乃至ＩＭＧ＿０００４．ＪＰＧは、シャッタボタンを押し続ける間、１秒間に２〜３枚の間隔で連続撮影が行える連写モードにて撮影された静止画ファイルである。また６０６乃至６０８に示すＳＴＡ＿０００６．ＪＰＧ乃至ＳＴＣ＿０００８．ＪＰＧは、複数の静止画ファイルを横方向または縦方向に並べ、つなぎ目を画像処理にて合成するファイルである。すなわち、パノラマ写真を得るパノラマスティッチ処理を行うための静止画ファイルを得るために、ファインダーパネル上に合成用の指標を表示してその撮影をサポートする、スティッチアシストモードにて撮影された静止画ファイルである。
【００３７】
上記のように記録された光ディスク媒体１３０がビデオカメラのリムーバブルディスクドライブ１１８に装着されたとして、図５に示すフローチャートのステップＳ５０１にて一括静止画動画ファイル作成の動作が開始される。ステップＳ５０２にて光ディスク媒体１３０に記録されているＤＣＦ形式のＪＰＥＧファイルが検出され、ステップＳ５０３にてＤＣＦ番号順にソートされる。次にステップＳ５０４にてＪＰＥＧファイルの総数８がセットされ、ステップＳ５０５にてカレントの静止画番号の初期値１がセットされる。
【００３８】
ステップＳ５０６にてファイルがオープンされ、ステップＳ５０７にてオープンしたファイルの先頭に記録されているＥｘｉｆ情報を読み取る。そして、ステップＳ５０８にて該Ｅｘｉｆ情報としてメーカーノートに「連写モード＝ＯＮ」が記録されているかが検出される。もし、これらが検出された場合は、静止画動画ファイルでの静止画表示継続時間（ｔ）が１秒にセットされ、検出されない場合は３秒にセットされる。
【００３９】
次にステップＳ５１１にて、該Ｅｘｉｆ情報にタイトル情報として「スティッチアシストモード」が記録されているかが検出されるが、１枚目の画像６０１はスティッチアシストモードで撮影された静止画ファイルではない。したがって、ステップＳ５１２にてオープンされたＪＰＥＧファイルのデコードが行われ、横７２０×縦４８０ピクセルにリサイズされ、ステップＳ５１３にてファイルがクローズされる。
【００４０】
ステップＳ５１４にてＭＰＥＧ２コーデック１１４によってデコードされたＪＰＥＧファイルの静止画ファイルがキャプチャされる。そして、ステップＳ５１５にて、ｔ＝３の場合３秒間同一の映像、ｔ＝１の場合１秒間同一の映像が続く動画としてＭＰＥＧ２エンコードされ、１枚目のＪＰＥＧファイルのＭＰＥＧ２化が終了する。
【００４１】
ステップＳ５１７にて現在ファイルが最終のＪＰＥＧであるかが検出される。しかし、ここではまだ１枚目のＪＰＥＧファイルの作業が終わったところなのでステップＳ５１６に移行し、現在ファイルの番号が＋１されて２になる。その後ステップＳ５０６以降で同様の動作が行われる。６番目の静止画ファイルでは、スティッチアシストモードで撮影された静止画ファイルである。したがって、ステップＳ５１１にて該Ｅｘｉｆ情報にタイトル情報として「スティッチアシストモード」が記録されていると検出され、本実施形態２の動作の特徴である、ステップＳ５２０以降へ処理が進む。
【００４２】
ステップＳ５２０では、ステップＳ５０６でオープンされていたファイルが一旦クローズされ、ステップＳ５２１にてファイルがスキャンされ、スティッチアシストモードで撮影された一連の静止画ファイルの数がカウントされる。ステップＳ５２２にて一連の静止画ファイルの数がセットされる。本実施形態２では６０６乃至６０８に示すＳＴＡ＿０００６．ＪＰＧ乃至ＳＴＣ＿０００８．ＪＰＧの３枚がスティッチアシストモードにて撮影された静止画像であるので、Ｎ‘＝３がセットされる。
【００４３】
次にステップＳ５２３にてＳＴＡ＿０００６．ＪＰＧがオープンされ、ステップＳ５２４にてデコードが行われ、デコードされた画像は一旦ＲＡＭ１１８に格納される。そして、ステップＳ５２５にてパノラマ合成が行われるが、現在ファイルはスティッチアシストモードで撮影された静止画ファイルのうちの１枚目なので、合成が実際に行われるのは２枚目以降となる。
【００４４】
ステップＳ５２６にてオープンしていたファイルがクローズされ、ステップＳ５２７でＮ’でセットされた枚数に達しているかが確認される。今回はまだ１枚目であるため、ステップＳ５２８にてｎが＋１されてステップＳ５２３の処理に移行し、次のＳＴＡ＿０００７．ＪＰＧがオープンされる。以下同様にしてＳＴＡ＿０００８．ＪＰＧまでのＪＰＥＧファイルがデコードされ、３枚分の静止画ファイルが横長に合成された画像がＲＡＭ１１８上に形成される。その後ステップＳ５２９にて該形成された画像を、１枚当たりの表示継続時間３（秒）ｘ合成された画像を構成している元ＪＰＥＧファイルの枚数３（枚）＝９（秒）と乗算する。これにより９秒のとする、全体のスクロール表示の移動速度で表示できるよう動画キャプチャが行われる。そして、ステップＳ５３０にてＭＰＥＧ２エンコードされる。
【００４５】
次にステップＳ５１７にて現在ファイルの番号が最終である事が検出されるとステップＳ５１８にて光ディスク媒体１３０の管理領域にファイルシステムの書き込みが行われ、ステップＳ５１９にて一連の静止画動画ファイル作成動作が終了する。
【００４６】
図６（ｂ）は、以上の一連の動作によって光ディスク媒体１３０に作成された静止画動画ファイルである。同じような内容のＪＰＥＧファイルが並ぶ連写モードでは６１０乃至６１２に示すように１秒の静止画動画ファイル、それ以外の静止画ファイルは３秒の静止画動画ファイルとして作成されている。さらに、スティッチアシストモードにて撮影された静止画像は、６１４に示すように、３枚の静止画ファイルがパノラマ合成され、９秒間とするスクロール速度で全体のスクロールが行われる動画像として作成されている。
【００４７】
この静止画動画ファイルはデータ形式は、ＤＶＤ−ＶｉｄｅｏまたはＤＶＤ−ＶＲに準拠した動画像であるためＪＰＥＧ静止画ファイルが再生できないＤＶＤプレーヤやＤＶＤレコーダでも再生可能である。
【００４８】
また、静止画動画ファイル作成時に、元のＪＰＥＧファイルの撮影日時、ファイル名などの文字情報を文字画像として画像合成するかまたはＤＶＤ規格のサブピクチャによる字幕情報として記録し、再生時に重畳表示する事が可能な構成としてもよい。
【００４９】
上記の実施形態１、２に係る画像記録装置は、基本的に、メインマイコン１２２により設定され、制御される静止画動画ファイル作成手段、静止画表示時間設定手段、パノラマ合成手段で実現可能である。
【００５０】
また、本発明の目的は、前述した実施形態の機能を実現するソフトウェアのプログラムコードを記録した記憶媒体を、システムあるいは装置に供給しても達成可能である。すなわち、そのシステムあるいは装置のコンピュータ（またはＣＰＵやＭＰＵ）が記憶媒体に格納されたプログラムコードを読出し実行することによっても、達成されることは言うまでもない。この場合、記憶媒体から読出されたプログラムコード自体が前述した実施形態の機能を実現することになり、そのプログラムコードを記憶した記憶媒体は本発明を構成することになる。
【００５１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭなどを用いることができる。また、コンピュータが読出したプログラムコードを実行することにより、前述した実施形態の機能が実現される場合もある。
【００５２】
しかし、さらにそのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５３】
さらに、記憶媒体から読出されたプログラムコードが、コンピュータに挿入された機能拡張ボードやコンピュータに接続された機能拡張ユニットに備わるメモリに書込まれる場合もあり得る。その後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００５４】
【図１】本発明の実施形態１および実施形態２に係る画像記録装置としてのビデオカメラのブロック図である。
【図２】従来例の静止画動画ファイルの内容の１例を示す図である。
【図３】本発明の実施形態１に係る画像記録装置としてのビデオカメラの動作を示すフローチャートである。
【図４】本発明の実施形態１に係る画像記録装置としてのビデオカメラのＪＰＥＧファイルおよび静止画動画ファイルの内容の１例を示す図である。
【図５】本発明の実施形態２に係る画像記録装置としてのビデオカメラの動作を示すフローチャートである。
【図６】本発明の実施形態２に係る画像記録装置としてのビデオカメラのＪＰＥＧファイルおよび静止画動画ファイルの内容の１例を示す図である。
【符号の説明】
【００５５】
１０１  撮影レンズ
１０２  絞り
１０３  撮像素子
１０４  ＣＤＳ／ＡＧＣ
１０５  デジタル信号処理回路
１０６  フレームメモリ
１０７  画素数調整回路
１０８  画像／音声データバス
１０９  マイクロフォン
１１０  増幅器
１１１  Ａ／Ｄコンバータ
１１２  液晶ディスプレイ
１１３  液晶ドライバ
１１４  ＭＰＥＧ２コーデック
１１５  ビデオ出力端子
１１６  ＮＴＳＣエンコーダ
１１７  ディスクドライバ
１１８  リムーバブルディスクドライブ
１１９  ＵＳＢ端子
１２０  ＵＳＢコントローラ
１２１  操作キー
１２２  メインマイコン
１２３  ＲＡＭ
１２４  ＥＥＰＲＯＭ
１２５  制御バス
【図１】
2008118481.tif 000003
【図２】
2008118481.tif 000004
【図３】
2008118481.tif 000005
【図４】
2008118481.tif 000006
【図５】
2008118481.tif 000007
【図６】
2008118481.tif 000008